(57)【要約】【課題】インピーダンスを調整できる光源装置を提供する。【解決手段】マイクロ波を生成するマイクロ波発生部１０と、マイクロ波発生部１０に接続されマイクロ波を放射する中心導体３０と、中心導体３０に接続されマイクロ波により放電点灯する放電ランプ３５と、放電ランプ３５の周りを囲み、一方の端が開口された導体材料で形成されたリフレクター４０と、マイクロ波発生部１０とリフレクター４０との間に配置された同軸管５０と、を備え、マイクロ波発生部１０から伝送される高周波の伝送モードがＴＥＭモードであり、同軸管５０は中心導体３０を内部導体とし、外管５６を外部導体とする同軸管を形成し、外管５６から中心導体３０に向かって位置調整可能な金属または誘電体で形成された調整ロッド５５が配置され、調整ロッド５５と中心導体３０との距離を調節することでインピーダンスが調節される。【選択図】図１
2011082043.tif 000002
【特許請求の範囲】
【請求項１】
マイクロ波を生成するマイクロ波発生部と、
前記マイクロ波発生部に接続され前記マイクロ波を放射する中心導体と、
前記中心導体に接続され前記マイクロ波により放電点灯する放電ランプと、
前記放電ランプの周りを囲み、一方の端が開口された導体材料で形成されたリフレクターと、
前記マイクロ波発生部と前記リフレクターとの間に配置された同軸管と、を備え、
前記マイクロ波発生部から伝送される高周波の伝送モードがＴＥＭモードであり、
前記同軸管は前記中心導体を内部導体とし、外形部を外部導体とする同軸管を形成し、
前記外形部から前記中心導体に向かって位置調整可能な金属または誘電体が配置され、
前記金属または誘電体と前記中心導体との距離を調節することでインピーダンスが調節されることを特徴とする光源装置。
【請求項２】
請求項１に記載の光源装置において、
前記外形部から前記中心導体に向かって位置調整可能な調整ロッドを有することを特徴とする光源装置。
【請求項３】
請求項２に記載の光源装置において、
前記調整ロッドが複数配置されたことを特徴とする光源装置。
【請求項４】
請求項１に記載の光源装置において、
前記外形部から前記中心導体に向かって開口径が調整可能なアイリスを有することを特徴とする光源装置。
【請求項５】
請求項１乃至４のいずれか一項に記載の光源装置において、
前記リフレクターが前記放電ランプから射出される光束の光軸上に光を効率的に集光または偏光する光学部材を備えていることを特徴とする光源装置。
【請求項６】
マイクロ波を生成するマイクロ波発生部と、
前記マイクロ波発生部に接続され前記マイクロ波を放射する中心導体と、
前記中心導体に接続され前記マイクロ波により放電点灯する放電ランプと、
前記放電ランプの周りを囲み、一方の端が開口された導体材料で形成されたリフレクターと、
前記マイクロ波発生部と前記リフレクターとの間に配置された同軸管と、を備え、
前記マイクロ波発生部から伝送される高周波の伝送モードがＴＥＭモードであり、
前記同軸管は前記中心導体を内部導体とし、外形部を外部導体とする同軸管を形成し、
前記外形部から前記中心導体に向かって位置調整可能な金属または誘電体が配置され、前記金属または誘電体と前記中心導体との距離を調節することでインピーダンスが調節される光源装置と、
前記光源装置から射出された光束を、入力される画像情報に応じて変調し光学像を形成する光変調部と、
前記光変調部により形成された光学像を投写する投射部と、が備えられていることを特徴とする投射型表示装置。
【発明の詳細な説明】
【技術分野】
【０００１】
本発明は、マイクロ波を照射することで発光する放電ランプを有する光源装置および、この光源装置を備える投射型表示装置に関する。
【背景技術】
【０００２】
近年、高輝度の光源としてハロゲンランプに代わり、放電ランプの需要が高まっている。特にランプの放電点灯にマイクロ波を利用した放電ランプにおいて、電極を有する放電ランプでは従来の直流および交流による放電ランプに比べ、電極が消耗しにくく長寿命化が可能である。また、マイクロ波を利用することで電極を持たない無電極のランプを実現することができ、さらに長寿命なランプが期待できる。
マイクロ波を利用した光源装置の場合、電磁波のエネルギーを効率よくランプに伝えるためにインピーダンス整合が必要である。通常、マイクロ波を用いた放電ランプは光を反射するリフレクターとマイクロ波の遮蔽を同時に満たすために、例えば特許文献１に示すようにリフレクターのチャンバー内にマイクロ波を閉じ込め、その中に放電ランプを置くことでプラズマを発生させて光を取り出している。
【先行技術文献】
【特許文献】
【０００３】
【特許文献１】特開２００８−２６２８３３号公報
【発明の概要】
【発明が解決しようとする課題】
【０００４】
しかしながら、特許文献１のような光源装置の構成では、インピーダンスの整合を行う機構がないため、ランプが点灯しないことや、光が暗くなることがある。このため、別に整合器やチャンバーの形状調整などが必要になり、光源装置の大型化およびコストの上昇となる課題がある。
【課題を解決するための手段】
【０００５】
本発明は上記課題の少なくとも一部を解決するためになされたものであり、以下の形態または適用例として実現することが可能である。
【０００６】
［適用例１］本適用例にかかる光源装置は、マイクロ波を生成するマイクロ波発生部と、前記マイクロ波発生部に接続され前記マイクロ波を放射する中心導体と、前記中心導体に接続され前記マイクロ波により放電点灯する放電ランプと、前記放電ランプの周りを囲み、一方の端が開口された導体材料で形成されたリフレクターと、前記マイクロ波発生部と前記リフレクターとの間に配置された同軸管と、を備え、前記マイクロ波発生部から伝送される高周波の伝送モードがＴＥＭモードであり、前記同軸管は前記中心導体を内部導体とし、外形部を外部導体とする同軸管を形成し、前記外形部から前記中心導体に向かって位置調整可能な金属または誘電体が配置され、前記金属または誘電体と前記中心導体との距離を調節することでインピーダンスが調節されることを特徴とする。
【０００７】
この構成の光源装置によれば、同軸管の外形部から中心導体に向かって位置調整可能な金属または誘電体が配置されている。この金属または誘電体を中心導体に近づけたり、または遠ざけたりすることで、同軸線路のインピーダンスを調整することができる。
このように、従来のランプが点灯しないことや、光が暗くなることに対して同軸線路のインピーダンスを調整することで、これらの不具合を解消でき、高効率な光源装置を得ることができる。
さらに、別に整合器を設ける必要がなく光源装置の大型化およびコストの上昇を抑制することができる。
【０００８】
［適用例２］上記適用例にかかる光源装置において、前記外形部から前記中心導体に向かって位置調整可能な調整ロッドを有することが望ましい。
【０００９】
この構成によれば、容易な構成で光源装置のインピーダンス調整を可能にする。
【００１０】
［適用例３］上記適用例にかかる光源装置において、前記調整ロッドが複数配置されたことが望ましい。
【００１１】
この構成によれば、複数の箇所からインピーダンス調整が可能であり、調整が容易となる。また、インピーダンスの調整幅が広がる利点がある。
【００１２】
［適用例４］上記適用例にかかる光源装置において、前記外形部から前記中心導体に向かって開口径が調整可能なアイリスを有することが望ましい。
【００１３】
この構成によれば、中心導体の外径に対して同心円状に移動可能なアイリス（絞り）を供えており、安定したインピーダンスの調整が可能である。
【００１４】
［適用例５］上記適用例にかかる光源装置において、前記リフレクターが前記放電ランプから射出される光束の光軸上に光を効率的に集光または偏光する光学部材を備えていることが望ましい。
【００１５】
このように、リフレクターに光学レンズなどの光学部材を備えることにより、光源から光学部材までの導光距離を短くでき、光の利用効率を向上させることができる。光学部材としては集光レンズ、コリメートレンズなどを利用できるため、光源装置の光束出口において光束を集光または平行光にすることができ、光学設計上の自由度が増す。
【００１６】
［適用例６］本適用例にかかる投射型表示装置は、マイクロ波を生成するマイクロ波発生部と、前記マイクロ波発生部に接続され前記マイクロ波を放射する中心導体と、前記中心導体に接続され前記マイクロ波により放電点灯する放電ランプと、前記放電ランプの周りを囲み、一方の端が開口された導体材料で形成されたリフレクターと、前記マイクロ波発生部と前記リフレクターとの間に配置された同軸管と、を備え、前記マイクロ波発生部から伝送される高周波の伝送モードがＴＥＭモードであり、前記同軸管は前記中心導体を内部導体とし、外形部を外部導体とする同軸管を形成し、前記外形部から前記中心導体に向かって位置調整可能な金属または誘電体が配置され、前記金属または誘電体と前記中心導体との距離を調節することでインピーダンスが調節される光源装置と、前記光源装置から射出された光束を、入力される画像情報に応じて変調し光学像を形成する光変調部と、前記光変調部により形成された光学像を投写する投射部と、が備えられていることを特徴とする。
【００１７】
この構成の投射型表示装置よれば、同軸線路のインピーダンスが調整可能で高効率な光源装置を備えており、光の利用効率が高い投射型表示装置を提供できる。また、光源装置とは別に、整合器を設ける必要がなく、投射型表示装置の小型化に寄与することができる。
【図面の簡単な説明】
【００１８】
【図１】第１の実施形態の光源装置の構成を示す概略断面図。
【図２】第１の実施形態のマイクロ波発生部の概略構成を示すブロック図。
【図３】変形例１の光源装置の構成を示す概略断面図。
【図４】変形例２の光源装置の構成を示す概略断面図。
【図５】変形例３の光源装置の構成を示す概略断面図。
【図６】変形例４の光源装置の構成を示す概略断面図。
【図７】第２の実施形態のプロジェクターの概略構成を示すブロック図。
【発明を実施するための形態】
【００１９】
以下、本発明を具体化した実施形態について図面に従って説明する。なお、以下の説明に用いる各図面では、各部材を認識容易な大きさとするため、各部材の寸法の割合を適宜変更している。
（第１の実施形態）
【００２０】
図１は、本実施形態の光源装置の概略構成を示す断面図である。
光源装置１は、マイクロ波を生成するマイクロ波発生部１０と、マイクロ波を利用して発光に係わる発光部２０と、を備えている。
そして、発光部２０は、同軸管５０と、調整ロッド５５と、中心導体３０と、放電ランプ３５と、リフレクター４０と、を有して構成されている。
【００２１】
同軸管５０はコネクター部５２と、マッチング部５４と、中心導体３０と、を有し、コネクター部５２においてマイクロ波発生部１０に接続されている。
中心導体３０は円柱状に形成され、マイクロ波発生部１０内から光軸Ｐ方向に延出し、マイクロ波発生部１０で生成したマイクロ波を放射する。そして、中心導体３０から等距離で取り囲むように外管５６が設けられている。なお、中心導体３０と外管５６は、銅などの金属で形成された導体または石英ガラスなどで形成された誘電体が用いられている。また、コネクター部５２では中心導体３０と外管５６とが短絡しないようにセラミックス、フッ素系樹脂などの絶縁部材５３が両者の間に設けられている。
【００２２】
マッチング部５４には、外管５６を貫通して中心導体３０の径方向に位置調整可能な調整ロッド５５が備えられている。具体的には、外管５６には雌螺子が設けられ、調整ロッド５５には雄螺子が設けられており、調整ロッド５５を回すことで調整ロッド５５の位置を中心導体３０に近づけたり、遠ざけたりする調整が可能である。このような調整をすることにより、同軸管５０のインピーダンスが変わり、伝搬するマイクロ波の共振周波数を調整することができる。なお、調整ロッド５５は金属で形成された導体または誘電体で形成されている。
【００２３】
このように、中心導体３０を内導体、外管５６を外導体とする同軸管５０が形成され、光軸Ｐ方向にマイクロ波を伝送可能である。
なお、マイクロ波発生部１０から伝送される高周波の伝送モードとして、波の伝搬方向に電場の成分と磁場の成分がゼロであるＴＥＭ（Ｔｒａｎｓｖｅｒｓｅ  Ｅｌｅｃｔｒｏ  Ｍａｇｎｅｔｉｃ）モードが用いられている。このため、マイクロ波の伝送の損失が少なく、効率的なマイクロ波の伝搬ができる。
また、一般に、マイクロ波帯としての慣用的周波数は、３ＧＨｚ〜３０ＧＨｚをいうが、本実施形態では、ＵＨＦ帯からＳＨＦ帯に相当する３００ＭＨｚ〜３０ＧＨｚ帯をマイクロ波帯と定義する。
【００２４】
リフレクター４０は光学的に光が平行光または焦点を結ぶ形状に形成され、光学的自由曲面を有している。このリフレクター４０は、一方の端が開口され、他端は同軸管５０に接続されている。
リフレクター４０の形状は、同軸管５０に近い部分は半球状に形成され、そこから筒状に開口部４２まで延びている形状となっている。
リフレクター４０は導体材料であるアルミニウムなどの金属で形成され、グランドに接地されている。このようにして、リフレクター４０で遮蔽した電磁波を電気的にグランドに導通させている。
【００２５】
また、リフレクター４０の内面４１は光の反射率が９０％以上となる鏡面に形成されている。この内面４１はマイクロ波を反射させ、放電ランプ３５が射出した光束を反射しながらリフレクター４０の開口部４２から外部に導出する。
なお、リフレクター４０全体が金属材料で形成されていなくても、リフレクター４０の放電ランプ３５と対する表面が金属材料で形成され、電気的にグランドに導通されていればよい。
【００２６】
中心導体３０は同軸管５０より、リフレクター４０内に延出し、中心導体３０の先端には放電ランプ３５が設けられている。この放電ランプ３５の周りを囲むようにリフレクター４０が形成され、放電ランプ３５はリフレクター４０の光学焦点位置に配置されている。
このように、リフレクター４０の光学焦点位置に放電ランプ３５が配置されていることから、放電ランプ３５から射出される光束がリフレクター４０で効率よく反射しながら導出され、反射時の光学ロスを低減することができる。
【００２７】
放電ランプ３５は、非導電性材料である石英ガラスまたは透明セラミックス等により形成された透明容器にマイクロ波により発光する発光物質を封入して形成されている。封入される発光物質として、ネオン、アルゴン、クリプトン、キセノンなどの希ガスや、水銀、金属ハロゲン化合物などが用いられる。
なお、放電ランプ３５は電極を有する有電極構造のものであっても、無電極構造のものであってもよい。
【００２８】
次に、マイクロ波発生部の構成について図面を参照して説明する。
図２は、マイクロ波発生部の概略構成を示すブロック図である。マイクロ波発生部１０は、高周波信号を出力する高周波発振部１１と、高周波発振部１１から出力された高周波信号をマイクロ波として放射する導波部１２とから構成されている。
【００２９】
高周波発振部１１は、電源１３と、高周波発振器としての弾性表面波（Ｓｕｒｆａｃｅ  Ａｃｏｕｓｔｉｃ  Ｗａｖｅ：ＳＡＷ）発振器と、増幅器１４とを有して構成される。本実施形態では弾性表面波発振器としてダイヤモンドＳＡＷ発振器１５を採用している。導波部１２は、中心導体３０と安全器としてのアイソレーター１６とを有している。
【００３０】
高周波発振部１１について詳細に説明する。電源１３は、ダイヤモンドＳＡＷ発振器１５と増幅器１４とに電力を供給している。ダイヤモンドＳＡＷ発振器１５の後段は、増幅器１４の前段に接続されている。そして、ダイヤモンドＳＡＷ発振器１５から出力された高周波信号は、増幅器１４で増幅された後に出力される。この増幅器１４から出力される高周波信号が、高周波発振部１１から出力される高周波信号となる。
本実施形態では、高周波発振部１１から、放電ランプ３５内に封入される発光物質を励起して発光させる高周波出力レベルに増幅された高周波信号（本実施形態では２．４５ＧＨｚ、波長λは約１２ｃｍ）を出力する。
【００３１】
次に、導波部１２について詳細に説明する。導波部１２は、高周波発振部１１から出力された高周波信号を導波してマイクロ波１０Ａとして放射するものであり、マイクロ波１０Ａを放射させる中心導体３０と反射波対策としてアイソレーター１６とを備えている。
【００３２】
中心導体３０は、単一指向性を有するマイクロ波を放射する中心導体となっている。この中心導体３０により、略平面波のマイクロ波１０Ａを放射することができる。
アイソレーター１６は、増幅器１４の後段で、中心導体３０との間に設置されている。そのため、中心導体３０からマイクロ波１０Ａを放射した結果として、反射波が高周波発振部１１に戻ることを防止している。
【００３３】
以上の構成の光源装置１において、マイクロ波発生部１０は、高周波信号を生成しマイクロ波としてリフレクター４０内へ向けて放射する。放射されるマイクロ波は、略平面波であり、リフレクター４０の内面４１により反射され、反射されたマイクロ波は、放電ランプ３５の中心部に収束する。放電ランプ３５に収束されたマイクロ波により、封入されている発光物質が励起（及び電離）されプラズマ発光することにより、放電ランプ３５が発光する。
放電ランプ３５が発光することにより、光束が射出される。射出された光束の一部は、リフレクター４０に達して反射される。そして、これら光束は、リフレクター４０の内面４１で反射されながら開口部４２から外部へと導出される。
【００３４】
ここで、中心導体を伝搬するマイクロ波の共振周波数が整合しないときには、ランプが点灯しないことや、光が暗くなることがある。このときには、調整ロッド５５を回すことで調整ロッド５５の位置を中心導体３０に近づける、または遠ざけたりする調整をすることにより、同軸管５０のインピーダンスが変わり、伝搬するマイクロ波の共振周波数を調整（マッチング）することができる。このようにすることで、従来のランプが点灯しないことや、光が暗くなることに対してインピーダンスを調整することで、正常な発光ができ高効率な光源装置を得ることができる。
【００３５】
次に、このインピーダンスの調整の原理について説明する。
同軸線路のインピーダンスＺは以下の式（１）で表される。
【００３６】
【数１】
2011082043.tif 000003
ただし、ε：線路の誘電率、Ｄ：外導体径、ｄ：内導体径、である。
【００３７】
この式（１）より、調整ロッド５５が金属などの導体である場合には、調整ロッド５５の出し入れにより外導体径Ｄが変化したことになりインピーダンスＺが変化する。また、調整ロッド５５が誘電体である場合、線路の誘電率εが変化したことになりインピーダンスＺが変化する。
このようにして、調整ロッド５５の位置を調整することでインピーダンスを調整することが可能である。
（変形例１）
【００３８】
次に、第１の実施形態の変形例１として、インピーダンスを調整する調整ロッドの取り付けに関しての変形例について説明する。この変形例１において、マッチング部の構成以外は第１の実施形態と同じ構成であり、同じ符号を付して説明を省略する。
図３は変形例１の光源装置の構成を示す概略断面図である。図３（ａ）は光軸Ｐ方向に沿った断面図であり、図３（ｂ）はマッチング部の光軸Ｐ方向に直交する方向の断面図である。
光源装置２において、同軸管５０のマッチング部５４には四方から調整ロッド５５が設けられている。この調整ロッド５５の位置を調整することによりインピーダンスを変えることができる。
このように、複数の箇所からインピーダンス調整が可能であり、調整が容易となる。なお、調整ロッド５５は４本に限らず複数本であれば効果を有する。
（変形例２）
【００３９】
次に、第１の実施形態の変形例２として、インピーダンスを調整する他の構成に関しての変形例について説明する。この変形例２において、マッチング部の構成以外は第１の実施形態と同じ構成であり、同じ符号を付して説明を省略する。
図４は変形例２の光源装置の構成を示す概略断面図である。
光源装置３において、同軸管５０のマッチング部５４にはアイリス（絞り）５８が設けられている。アイリス５８は中心導体３０の外径に対して同心円状に移動可能である。このことから、安定したインピーダンスの調整が可能である。
（変形例３）
【００４０】
次に、第１の実施形態の変形例３として、光源装置のリフレクターに光学部材を備えた変形例３について説明する。この変形例３において、光学部材以外は第１の実施形態と同じ構成であり、同じ符号を付して説明を省略する。
図５は変形例の光源装置の構成を示す概略断面図である。
【００４１】
図５（ａ）に示すように、光源装置４にはリフレクター４０の開口部付近に光学レンズ６１，６２が備えられている。光学レンズ６１，６２は、リフレクター４０の内部に耐熱性を有する接着剤などで固着されている。
光学レンズ６１は凸レンズ、光学レンズ６２は凹レンズであり、これらのレンズの組み合わせにより、光束を集光あるいは平行光に変換する。レンズの組み合わせは、この変形例に限らず、使用目的に合わせて適宜変更して組み合わせることが可能である。
【００４２】
このように、リフレクター４０に光学レンズ６１，６２を備えることにより、光源としての放電ランプ３５から光学レンズ６１，６２までの導光距離を短くできるため、光の利用効率が向上する。また、光束の出口にて光束を集光したり平行光にしたりすることができ、光学設計上の自由度が増す。
【００４３】
また、他の変形例として図５（ｂ）に示すような、リフレクター４０の先端に光学レンズユニット７０が装着された光源装置５を例示する。
光学レンズユニット７０は筒状のレンズ筐体７３に光学レンズ７１，７２が固着されている。光学レンズ７１，７２は、レンズ筐体７３に耐熱性を有する接着剤などで固着されている。また、またレンズ筐体７３とリフレクター４０との係合部には螺子が形成され、光学レンズユニット７０が光軸Ｐに沿って移動が可能である。
【００４４】
このように、リフレクター４０に光学レンズユニット７０を装着する構成であることにより、目的に対応した光学レンズユニットを複数用意しておけば、一つの光源装置で複数の用途に対応することができる。
（変形例４）
【００４５】
次に、第１の実施形態の変形例４として、光源装置の中心導体３０を石英ガラスで覆った変形例について説明する。この変形例４において、第１の実施形態と同じ構成には同じ符号を付して説明を省略する。
図６は変形例の光源装置の構成を示す概略断面図である。
【００４６】
図６に示すように、光源装置６の中心導体３０はマイクロ波発生部１０内から光軸Ｐ方向に延出し、透明な石英ガラスで形成された石英管３２が中心導体３０の外周を覆うように設けられている。
石英管３２のリフレクター４０に囲まれた一部分は略球状にふくらみ、その内部に空間部３１が形成され、発光物質が封入されている。この空間部３１には、マイクロ波発生部１０内から延出した中心導体３０と、石英管３２の先端から延出した導体３４とが所定の距離を保って配置されている。このように、中心導体３０と石英管３２と放電ランプ３５とが一体となった構造を有している。
【００４７】
マイクロ波発生部１０で生成したマイクロ波は同軸管５０を経て空間部３１に放射され、また石英管３２の先端部に形成に配置された導体３４により空間部３１にプラズマを集中させる。このことから、空間部３１の発光物質が励起（及び電離）されプラズマ発光することにより、放電ランプ３５が発光する。
【００４８】
また、中心導体３０の外周を覆う石英管３２に向かって、マッチング部５４から調整ロッド５５を中心導体３０に近づけたり、遠ざけたりする調整することにより、同軸管５０のインピーダンスが変わり、伝搬するマイクロ波の共振周波数を調整することができる。
このような、変形例４の構造においても、第１の実施形態と同様の効果を得ることができる。
なお、変形例４の光源装置６のリフレクター４０に変形例３のような光学部材を備えてもよい。
（第２の実施形態）
【００４９】
続いて、前述した光源装置を採用した投射型表示装置としてのプロジェクターについて図面を参照して説明する。
図７は、本実施形態のプロジェクターの概略構成を示すブロック図である。
プロジェクター１００は、前述した光源装置１と光学系１１０とから構成されている。
光学系１１０は、照明光学系１２０と、光変調部１３０と、色合成光学系１４０と、投射部１５０とを有して構成されている。また、光源装置１は、マイクロ波発生部１０と発光部２０とを有して構成される。
【００５０】
次に、プロジェクター１００の動作について説明する。マイクロ波発生部１０からはマイクロ波を放射し、発光部２０は、マイクロ波発生部１０から放射されたマイクロ波により発光する。また、照明光学系１２０は、光源装置１から射出された光束の照度を均一化し、各色光に分離する。
【００５１】
光変調部１３０は、照明光学系１２０で分離された各色光の光束に対して画像情報に応じて変調して光学像を形成する。色合成光学系１４０は、照明光学系１２０で色分離され光変調部１３０で変調された各色光の光学像を合成し、投射部１５０にて光学像を投写する。
【００５２】
プロジェクター１００に搭載される放電ランプはマイクロ波を利用したランプであり、従来の放電ランプを用いる照明装置を備えたプロジェクターと比較して、光源装置１の長寿命化を実現し、光源装置交換の煩わしさを軽減し、経済的効果を向上させることができる。
【００５３】
また、前述した光源装置１を採用することにより、光源装置１におけるインピーダンスを調整でき、放電ランプから射出された光の利用効率を向上させたプロジェクター１００を提供できる。
【符号の説明】
【００５４】
１，２，３，４，５，６…光源装置、１０…マイクロ波発生部、１０Ａ…マイクロ波、１１…高周波発振部、１２…導波部、１３…電源、１４…増幅器、１５…ダイヤモンドＳＡＷ発振器、１６…アイソレーター、２０…発光部、３０…中心導体、３１…空間部、３２…石英管、３４…導体、３５…放電ランプ、４０…リフレクター、４１…内面、４２…開口部、５０…同軸管、５２…コネクター部、５３…絶縁部材、５４…マッチング部、５５…調整ロッド、５６…外形部としての外管、５８…アイリス、６１，６２…光学部材としての光学レンズ、７０…光学レンズユニット、７１，７２…光学部材としての光学レンズ、１００…投射型表示装置としてのプロジェクター、１１０…光学系、１２０…照明光学系、１３０…光変調部、１４０…色合成光学系、１５０…投射部、Ｐ…光軸、λ…マイクロ波の波長。
【図１】
2011082043.tif 000004
【図２】
2011082043.tif 000005
【図３】
2011082043.tif 000006
【図４】
2011082043.tif 000007
【図５】
2011082043.tif 000008
【図６】
2011082043.tif 000009
【図７】
2011082043.tif 000010